(57)【特許請求の範囲】
【請求項１】
前枠内に開閉可能に取付けられ、かつ外面に被係止部を有するガラス枠と、  前記前枠の内側に往復動可能に配置され、その往復動にともない前記被係止部に係止及び離脱する鉤部を有する施錠杆と、
少なくとも一部が前記施錠杆から後方へ突出した状態で、同施錠杆に取付けられた解錠操作部材と、
前記前枠に設けられ、その前枠の前方から鍵により解錠操作される錠と
を備え、前記鍵の解錠操作に応じた前記錠の動作を、前記解錠操作部材を介して前記施錠杆に伝達し、鉤部を被係止部から離脱させるようにした遊技機において、
前記解錠操作部材の前記施錠杆からの突出部分を覆うカバーをさらに備えることを特徴とする遊技機。
【請求項２】
請求項１に記載の遊技機において、軸により前記前枠が回動可能に支持される外枠と、前記前枠の後側に開閉可能に取付けられ、閉鎖時に前記外枠との間に間隙を生ずる機構板とをさらに備え、前記カバーは少なくとも前記間隙と同程度の幅を有し、その一側面において前記機構板の外面に固定されていることを特徴とする遊技機。
【請求項３】
請求項２に記載の遊技機において、前記外枠には、その内面において開口し、かつ前記前枠の閉鎖時に前記カバーの側部を収容する凹部が設けられていることを特徴とする遊技機。
【請求項４】
請求項３に記載の遊技機において、前記凹部は、その後端部において最も浅く、前側ほど深くなるように形成され、前記カバーの側部は、前枠及び機構板の閉鎖時に前記凹部の後端部で収容されることを特徴とする遊技機。
【発明の詳細な説明】
【０００１】
【発明の属する技術分野】
本発明は、ガラス枠を前枠に開閉可能に支持するとともに、閉鎖状態のガラス枠を施錠装置により前枠に係止するようにしたパチンコ遊技機等の遊技機に関するものである。
【０００２】
【従来の技術】
従来、パチンコ遊技機としては、外枠の前側に前枠を開閉可能に取付けるとともに、その前枠内にガラス枠を開閉可能に取付け、さらにそのガラス枠を施錠装置により前枠に係止するようにしたものがよく知られている。施錠装置は、複数の受け金具、シリンダ錠、施錠杆、解錠操作部材等を備えている。各受け金具はガラス枠の外面に固定されている。シリンダ錠は前枠を貫通しており、解錠に際し、前枠の前方から専用の鍵が差込まれて回動操作される。施錠杆は前枠の内側に上下方向への往復動可能に配置されており、その一部には、前記往復動にともない前記受け金具に係止及び離脱する鉤部が形成されている。解錠操作部材は、少なくともその一部を施錠杆から後方へ突出させた状態で同施錠杆に取付けられている。
【０００３】
上記施錠装置によると、施錠時には、施錠杆が上方に位置していて、その上下両鉤部がそれぞれ受け金具に係止している。鍵がシリンダ錠に差込まれて所定方向に回されると、そのシリンダ錠の動作が、解錠操作部材を介して施錠杆に伝達される。解錠操作部材及び施錠杆が一体で下方へ移動し、上下両鉤部が受け金具から離脱し、解錠される。また、工場等でのパチンコ遊技機の検査、組付け等に際し、専用の鍵を用いずにガラス枠を開閉させるために、解錠操作部材が指等で直接押し下げられると、それにともなって施錠杆も下方へ移動する。この場合にも、上下両鉤部が受け金具から離脱し、解錠される。
【０００４】
【発明が解決しようとする課題】
ところで、パチンコホールのシマにおいては、多数台のパチンコ遊技機が横に列をなして並べられ、さらに隣合うパチンコ遊技機の間には球貸し機が配置される。この球貸し機の設置のために、通常は、隣合うパチンコ遊技機が球貸し機の幅よりも多少広めの間隔をおいて配置される。これにともない、パチンコ遊技機と球貸し機との間に若干の隙間が生ずる。そのため、遊技者等が線材等、例えば針金を用い、これをパチンコ遊技機の前側から前記隙間に差込み、解錠操作部材に直接力を加えることが可能である。解錠操作部材が線材等によって下方へ動かされると、それと一体となった施錠杆もまた下方へ移動し、上下両鉤部が受け金具から外れる。本来ならば、専用の鍵を用いなければ解錠できないはずの施錠装置が、その鍵を用いることなく不正に解錠されてしまう問題がある。
【０００５】
そこで、本発明は、専用の鍵を用いた解錠操作を支障なく行うことができ、しかも、解錠操作部材を線材等で不正に動かしてガラス枠を解錠する不正解錠を確実に防止することのできる遊技機の提供を課題とするものである。
【０００６】
【課題を解決するための手段】
前記課題を解決するために手段１は、前枠内に開閉可能に取付けられ、かつ外面に被係止部を有するガラス枠と、前記前枠の内側に往復動可能に配置され、その往復動にともない前記被係止部に係止及び離脱する鉤部を有する施錠杆と、少なくとも一部が前記施錠杆から後方へ突出した状態で、同施錠杆に取付けられた解錠操作部材と、前記前枠に設けられ、その前枠の前方から鍵により解錠操作される錠とを備え、前記鍵の解錠操作に応じた前記錠の動作を、前記解錠操作部材を介して前記施錠杆に伝達し、鉤部を被係止部から離脱させるようにした遊技機において、前記解錠操作部材の前記施錠杆からの突出部分を覆うカバーをさらに備えることを特徴としている。
【０００７】
前記手段１によると、施錠時には、全ての鉤部が被係止部に係止し、ガラス枠が前枠に対し閉鎖された状態に保たれる。この状態のもとで前枠の前方から鍵を解錠操作すると、その操作に応じて錠が動作する。錠の動作は、解錠操作部材を介して施錠杆に伝達される。この伝達により、解錠操作部材及び施錠杆が移動し、全ての鉤部が被係止部から離脱し、ガラス枠が開放可能となる。このとき、解錠操作部材において、少なくとも施錠杆から突出する部分を後方から覆うカバーは、その解錠操作部材の動きの妨げとならない。一方、施錠時において、鍵を用いずに解錠操作部材を不正に動かすために、線材等を解錠操作部材に近づけようとしてもカバーによって遮られる。線材等を解錠操作部材に接触させて力を加えることは困難である。その結果、解錠操作部材及び施錠杆はともに動かず、全ての鉤部は被係止部に係止し続ける。
【０００８】
手段２は、前記手段１の構成に加え、軸により前記前枠が回動可能に支持される外枠と、前記前枠の後側に開閉可能に取付けられ、閉鎖時に前記外枠との間に間隙を生ずる機構板とをさらに備え、前記カバーは少なくとも前記間隙と同程度の幅を有し、その一側面において前記機構板の外面に固定されていることを特徴とする遊技機である。
【０００９】
前記手段２によると、前枠が外枠に対し閉鎖され、機構板が前枠に対し閉鎖された状態では、外枠と機構板との間に間隙が生じ、ここに解錠操作部材が位置する。一方、解錠操作部材を後方から覆うカバーは、その一側面において機構板の外面に固定されている。この一側面が外面に密着していれば、カバーと機構板との間には隙間が実質上存在しない。また、カバーが少なくとも前記間隙と同程度の幅を有していることから、このカバーの他側面と外枠の内面との隙間は小さい。従って、鍵を用いずに解錠操作部材を不正に動かそうとして、線材等を、カバーと機構板との間、又はカバーと外枠との間に通すことは困難である。このため、前記手段１と同様の効果を奏するほか、機構板及び外枠をカバーの一部として機能させていることから、カバーの構造を簡略化することが可能である。また、機構板をカバーの固定箇所として利用していることから、同カバーの固定のために特別な機構や別部材は不要である。
【００１０】
手段３は、前記手段２の構成に加え、前記外枠には、その内面において開口し、かつ前記前枠の閉鎖時に前記カバーの側部を収容する凹部が設けられていることを特徴とする遊技機である。
【００１１】
前記手段３によると、前枠が外枠に対し閉鎖され、機構板が前枠に対し閉鎖された状態では、解錠操作部材が後方からカバーによって覆われるが、そのカバーの側部は、外枠の内面において開口した凹部内に入り込む。このため、解錠操作部材を不正に動かすために、線材等の先端部を、カバーと外枠との間に通そうとすれば、カバーと凹部との隙間を通過させなければならない。この隙間は屈曲しているので、ここに線材等を通すことは実質上不可能である。従って、前記手段２の効果に加え、簡単な構成でありながら、不正解錠をより確実に防止することができる。
【００１２】
手段４は、前記手段３の構成に加え、前記凹部は、その後端部において最も浅く、前側ほど深くなるように形成され、前記カバーの側部は、前枠及び機構板の閉鎖時に前記凹部の後端部で収容されることを特徴とする遊技機である。
【００１３】
前記手段４によると、機構板が閉鎖された状態の前枠の開閉に際し、その前枠が軸を支点として回動された場合、カバーはその軸を中心とする円弧に沿って移動する。軸が凹部よりも前方に位置していることから、前記円弧は凹部の後端部よりも前端部の方が外方へ膨らんでいる。ここで、仮に、凹部の深さがどの箇所においても一定であるとする。この前提のもとで、凹部の内底面の前端部を基準位置とし、ここでの同内底面とカバーとの隙間が狭くなるように凹部の深さを設定すれば、後端部での隙間が広くなり、線材が通りやすくなってしまう。これとは逆に、凹部の内底面の後端部を基準位置とし、ここでの同内底面とカバーとの隙間が狭くなるように凹部の深さを設定すれば、前端部では内底面とカバーとが接触し、前枠の開閉が困難となる。
【００１４】
これに対し手段４では、凹部の深さを工夫し、後端部において最も浅く、前側ほど深くしている。この凹部の内底面が前記円弧に沿ったものであれば、カバーが凹部のどこに位置していても、同カバーと内底面との隙間は略均一となる。このため、カバーが凹部の後端部に収容されたとき、同カバーと内底面との隙間は狭く、しかも、前枠の開閉時にカバーが凹部の前端部で内底面と干渉することがない。従って、前記手段３の効果に加え、不正解錠の防止と、前枠の開閉動作の確保とを両立させることができる。
【００１５】
手段５は、前記手段１の構成に加え、軸により前記前枠が回動可能に支持される外枠と、前記前枠の後側に開閉可能に取付けられ、閉鎖時に前記外枠との間に間隙を生ずる機構板とをさらに備え、前記カバーは少なくとも前記間隙と同程度の幅を有し、その一側面において前記外枠の内面に固定されていることを特徴とする遊技機である。
【００１６】
前記手段５によると、前枠が外枠に対し閉鎖され、機構板が前枠に対し閉鎖された状態では、外枠と機構板との間に間隙が生じ、ここに解錠操作部材が位置する。一方、解錠操作部材を後方から覆うカバーは、その一側面において外枠の内面に固定されている。この一側面が内面に密着していれば、カバーと外枠との間には隙間が実質上存在しない。また、カバーが少なくとも前記間隙と同程度の幅を有していることから、このカバーの他側面と機構板の外面との隙間は小さい。従って、鍵を用いずに解錠操作部材を不正に動かそうとして、線材等を、カバーと機構板との間、又はカバーと外枠との間に通すことは困難である。このため、前記手段１と同様の効果を奏するほか、機構板及び外枠をカバーの一部として機能させていることから、カバーの構造を簡略化することが可能である。また、外枠をカバーの固定箇所として利用していることから、同カバーの固定のために特別な機構や別部材は不要である。
【００１７】
手段６は、前記手段１の構成に加え、前記カバーには長孔があけられており、前記解錠操作部材には、前記カバーよりも前方で格納される格納位置と、前記長孔を通じてカバーを貫通する貫通位置との間で回動する延長レバーが軸により取付けられ、さらに貫通位置での延長レバーの動きを解錠操作部材に伝達する伝達部が設けられていることを特徴とする遊技機である。
【００１８】
前記手段６によると、格納位置に配置された延長レバーは、カバーよりも前方で格納される。この状態では、延長レバー及び解錠操作部材はカバーにより後方から覆われる。鍵を用いずに解錠操作部材を不正に動かそうとして、線材等を解錠操作部材に近づけてもカバーによって遮られる。この際、カバーにあけられている長孔の幅が、不正解錠に用いられると予想される一般的な線材の太さよりも狭ければ、線材等を長孔に通すことは困難である。一方、貫通位置に配置された延長レバーは、長孔を通じてカバーを貫通する。この延長レバーを操作して長孔に沿って移動させれば、その動きが伝達部によって解錠操作部材に伝わる。同部材及び施錠杆が移動し、全ての鉤部が被係止部から離脱し、ガラス枠が開放可能となる。従って、前記手段１の効果に加え、工場等での遊技機の検査、組付け等に際しては、鍵を用いなくても、延長レバーを操作することにより解錠してガラス枠を開閉させることもできる。
【００１９】
【発明の実施の形態】
以下、本発明の遊技機をパチンコ遊技機に具体化した一実施形態を、図１乃至図９に従って説明する。
【００２０】
パチンコホールのシマには、図１に示すパチンコ遊技機１が、横に列をなして並べられている。隣合うパチンコ遊技機１の間には、二点鎖線で示すように縦長の球貸し機２が配置されている。図１及び図２（ａ），（ｂ）に示すように、パチンコ遊技機１は、外枠３、前枠４、遊技盤５、ガラス枠６、機構板７及び施錠装置８を備えている。外枠３は縦長の四角枠からなる。前枠４は内枠とも呼ばれるものであり、外枠３の前側に配置され、軸４ａによりその外枠３に開閉可能（回動可能）に支持されている。遊技盤５は前枠４に固定されており、この遊技盤５に、入賞口、遊技釘、風車、保留装置その他の遊技球の落下の方向に変化を与えるための装置が組込まれている。ガラス枠６は遊技盤５の前側に配置され、軸６ａにより前枠４内に開閉可能（回動可能）に支持されている。機構板７は裏セットとも呼ばれるものであり、遊技盤５の後側に配置され、軸（図示略）により前枠４に開閉可能（回動可能）に支持されている。閉鎖状態の機構板７を前枠４に係止するために、機構板７及び前枠４には留具（図示略）が設けられている。施錠装置８は、閉鎖状態の前枠４を外枠３に係止するための前枠施錠機構９と、閉鎖状態のガラス枠６を前枠４に係止するためのガラス枠施錠機構１０とを備えている。
【００２１】
図２（ａ）及び図３（ａ），（ｂ）に示すように、前枠施錠機構９は、複数の受け金具１１、枠体１２、複数の鉤部材１３、連結杆１４、シリンダ錠１５、カム板１６等からなる。受け金具１１は外枠３の内側面に固定されている。枠体１２は前枠４の後面に固定され、各鉤部材１３は軸１３ａにより枠体１２に支持されている。各鉤部材１３は、軸１３ａを支点として傾動することにより、前記受け金具１１に対し係止及び離脱する。連結杆１４は、枠体１２に対し上下方向への往復動可能に配置され、ピン１４ａにより鉤部材１３に連結されている。シリンダ錠１５は、前枠４にあけられた孔（図示略）に通され、枠体１２に取付けられている。シリンダ錠１５は、解錠に際し専用の鍵（以下「専用キー」という）１７が差込まれて回動操作される。カム板１６は、シリンダ錠１５の錠軸１５ａに一体回動可能に取付けられている。カム板１６の外周には、その回動を連結杆１４に伝達するための第１突起１８が形成されている。
【００２２】
上記構成の前枠施錠機構９によると、前枠４の施錠時には、連結杆１４が上方に位置し、各鉤部材１３が受け金具１１に係止する。前枠４の開放のために専用キー１７が所定方向（図３（ａ）の反矢印Ｘ方向）へ回されると、錠軸１５ａ及びカム板１６が同方向へ回動する。第１突起１８が連結杆１４の段差部１４ｂに下側から当接し、同連結杆１４を押し上げる。全鉤部材１３が軸１３ａを支点として一斉に下方へ傾動して受け金具１１から離脱し、前枠４が開放可能となる。
【００２３】
ガラス枠施錠機構１０は、被係止部、可動部材１９、シリンダ錠、カム板、施錠杆２１、解錠操作部材２２等からなる。図４に示すように、被係止部は、ガラス枠６の外側面に固定された複数の受け金具２３からなる。図３（ａ），（ｂ）に示すように、可動部材１９は、自身の下部に折曲部１９ａを有し、前述した枠体１２と連結杆１４との間において、上下方向への往復動可能に配置されている。可動部材１９及び連結杆１４にはばね２４が掛け渡されている。前枠施錠機構９のシリンダ錠１５及びカム板１６は、ガラス枠施錠機構１０でのシリンダ錠及びカム板をも兼ねている。カム板１６の外周において、前記第１突起１８から上方へ離れた箇所には、そのカム板１６の回動を可動部材１９に伝達するための第２突起２５が形成されている。
【００２４】
図５及び図６に示すように、施錠杆２１は、上端が尖った複数の鉤部２６を有しており、前枠４の内側近傍に配置されている。施錠杆２１は、鉤部２６が受け金具２３に下側から入り込む係止位置（図５参照）と、鉤部２６が受け金具２３から下方へ離脱する解除位置との間で往復動する。解錠操作部材２２は、可動部材１９の下方への動きを施錠杆２１に伝え、その施錠杆２１を係止位置から解除位置へ移動（下動）させるためのものである。解錠操作部材２２は、支持部材２７を介して施錠杆２１に取付けられている。より詳しくは、支持部材２７は、ピン２７ａにより施錠杆２１に連結されている。解錠操作部材２２は、ピン２２ａにより支持部材２７に連結されている。図中２２ｂ，２７ｂは、施錠杆２１との接触により、支持部材２７及び解錠操作部材２２が所定方向（施錠杆側）へ回動するのを阻止するための回動阻止部である。このように施錠杆２１に取付けられた解錠操作部材２２の大部分は、同施錠杆２１から後方へ突出している。
【００２５】
解除位置へ移動した施錠杆２１をその位置に保持したり、その保持を解除したりするために、以下の機構が採用されている。施錠杆２１には切欠き２１ａが形成されている。前枠４には、ストッパ２８が軸２８ａにより回動可能に支持されている。ストッパ２８の後部には、その回動にともない前記切欠き２１ａに入り込んだり抜け出たりする係止部２８ｂが形成されている。ストッパ２８及び支持部材２７にはばね２９が掛け渡されている。
【００２６】
次に、本実施形態の特徴部分について説明する。図７乃至図９に示すように、パチンコ遊技機１は、解錠操作部材２２の施錠杆２１からの突出部分を覆うカバー３１をさらに備えている。カバー３１は、（１）前枠４の開閉、機構板７の開閉、解錠操作部材２２の上下動等、パチンコ遊技機１の可動部分の動きの妨げとならず、（２）針金等の線材等が解錠操作部材２２に達するのを防ぐものである必要があるが、それ以外の要素（例えば、形状、材質、固定方法）に関しては特に制約がない。本実施形態では、カバー３１として、本体部３２、上壁部３３、底壁部３４及び側壁部３５からなるものが用いられている。本体部３２は四角板状をなし、外枠３と機構板７との間隙Ｇに関し、少なくともその間隙Ｇと同程度の横幅を有している。上壁部３３、底壁部３４及び側壁部３５もまた平板状をなし、それぞれ本体部３２の上縁、下縁、側縁から前方へ向けて延びている。
【００２７】
本体部３２には縦長で、かつ不正解錠に用いられると予想される一般的な線材の太さよりも幅狭の長孔３６があけられている。そして、カバー３１は側壁部３５において機構板７の外側面に接着固定されている。固定手段としては、接着以外にも、木ねじ、ボルト・ナット等の締結部材を用いてもよい。また、カバー３１は全体が合成樹脂によって形成されているが、それ以外の材料、例えば、金属、木、ゴム、セラミックス等によって形成されてもよい。
【００２８】
解錠操作部材２２には、延長レバー３７が軸３８により取付けられている。延長レバー３７は前記長孔３６の幅よりも若干薄い板材によって形成されており、軸３８を支点として、格納位置（図７参照）と貫通位置（図８参照）との間で回動可能である。延長レバー３７は、格納位置では、カバー３１の本体部３２よりも前方で、起立状態、好ましくは略垂直状態にされる。延長レバー３７は、貫通位置では、長孔３６を通じてカバー３１を貫通する。貫通位置での延長レバー３７の姿勢（傾き）は特に限定されないが、ここでは略水平状態としている。さらに、貫通位置に配置された延長レバー３７の下方への動きを解錠操作部材２２に伝達するために、延長レバー３７には、その一部を曲げ形成してなる伝達部３７ａが設けられている。この伝達部３７ａは、延長レバー３７が貫通位置まで回動されたとき、解錠操作部材２２にもともと設けられている伝達部２２ｃに上から重なる。なお、延長レバー３７は基本的には格納位置に配置されており、特別な場合、例えば、工場等でのパチンコ遊技機１の検査、組付け等に際し、専用キー１７を用いずにガラス枠６を開閉させる場合等に、貫通位置まで回動される。
【００２９】
さらに、外枠３には、その内側面３ａにおいて開口する凹部３９が設けられており、前枠４及び機構板７がともに閉鎖されたとき、カバー３１の側部３１ａを同凹部３９の後端部で収容するようにしている。この収容状態において、凹部３９の内壁面、例えば内底面３９ｂとカバー３１との隙間は、不正解錠に用いられると予想される一般的な線材の太さよりも狭くなっている。また、凹部３９は深さＤが一定ではなく、後端部において最も浅く、前側ほど深くなっている。前枠４が開放される際に、カバー３１と外枠３とが干渉しあうのを防ぐためである。これについては後述する。
【００３０】
次に、前記のように構成された本実施形態の作用及び効果について説明する。図２（ａ），（ｂ）は、前枠４、ガラス枠６、機構板７がそれぞれ閉鎖され、しかも前枠４及びガラス枠６が施錠された状態を示している。この状態では、図５及び図７に示すように、外枠３と機構板７との間隙Ｇに解錠操作部材２２が位置し、可動部材１９が最上位置で停止している。ストッパ２８がガラス枠６によって後方へ押され、係止部２８ｂが切欠き２１ａから抜け出ている。切欠き２１ａによる施錠杆２１の上動抑止力は働いていない。そのため、ばね２９によって上方へ引張られている解錠操作部材２２は、可動部材１９に下側から当って停止している。解錠操作部材２２と一体となっている施錠杆２１も最上位置、すなわち、係止位置で停止し、鉤部２６が受け金具２３内に入り込んでいる。延長レバー３７は格納位置に配置され、起立状態となっている。解錠操作部材２２だけでなくこの延長レバー３７もカバー３１によって覆われている。
【００３１】
ガラス枠６の開放のために、例えば、パチンコ店の店員が専用キー１７をシリンダ錠１５に差込み、図３（ａ）の矢印Ｘ方向へ回すと、錠軸１５ａ及びカム板１６が同方向へ回動する。カム板１６の回動により、第２突起２５が可動部材１９の段差部１９ｂに上側から当接し、ばね２４に抗して同可動部材１９を押し下げる。図５に示すように、可動部材１９の動きは解錠操作部材２２に伝達され、同解錠操作部材２２はばね２９に抗して押し下げられる。このとき、カバー３１は解錠操作部材２２及び延長レバー３７を後方から非接触状態で覆っているにすぎず、同解錠操作部材２２等の動きの妨げになることはない。
【００３２】
解錠操作部材２２と一体となった施錠杆２１もまた下方へ移動する。この移動の過程で、まず、全ての鉤部２６が受け金具２３から離脱し（解錠し）、ガラス枠６の開放が可能となる。次いで、切欠き２１ａがストッパ２８の係止部２８ｂとほぼ同じ高さになると、ばね２９によって下方へ引張られているストッパ２８は軸２８ａを支点として前方へ回動し、係止部２８ｂが切欠き２１ａ内に入り込む。この入り込みにより、施錠杆２１がストッパ２８を介して前枠４に結合された状態となり、同施錠杆２１が解除位置に保持される。また、前記回動により、ストッパ２８の前部が前枠４から前方へ飛び出す。このストッパ２８により押されたガラス枠６は軸６ａを支点として前方へ回動し、自動的に開放する。
【００３３】
前記とは逆に、ガラス枠６の閉鎖のために、軸６ａを支点として同ガラス枠６を後方へ回動させると、そのガラス枠６によってストッパ２８の前部が押される。ストッパ２８がばね２９に抗し、軸２８ａを支点として後方へ回動する。係止部２８ｂが切欠き２１ａから抜け出ると、ばね２９の引張り力により、解錠操作部材２２が施錠杆２１と一体で上方へ移動し、全ての鉤部２６が一斉に受け金具２３内に入り込む。施錠杆２１の上方への移動は、解錠操作部材２２が可動部材１９（折曲部１９ａ）に接触することにより止り、施錠杆２１が係止位置に保持される。このようにしてガラス枠６が施錠される。
【００３４】
一方、パチンコ遊技機１と球貸し機２との間に若干の隙間が生じていることを利用し、前記施錠時において、専用キー１７を用いずに、線材等、例えば針金をその隙間下部を通じて差込み、解錠操作部材２２を不正に動かそうとして、線材等の先端部を解錠操作部材２２に近づけてもカバー３１によって遮られる。図７乃至図９に示すように、カバー３１の側壁部３５が機構板７に接着固定されていることから、両者３５，７間には隙間が存在しない。また、カバー３１の側部３１ａが凹部３９の後端部内に入り込んでいることから、同カバー３１と外枠３の内側面３ａとの間にも隙間が実質上存在しない。従って、線材等の先端部を、カバー３１と機構板７との間、又はカバー３１と外枠３との間に通すことは非常に困難である。線材等の先端部を、カバー３１と外枠３との間に通そうとすれば、カバー３１と凹部３９との隙間を通過させなければならない。この隙間は屈曲しているので、ここに線材等を通すことは実質上不可能である。
【００３５】
さらに、本体部３２の上縁及び下縁からは前方へ向けて板状の上壁部３３及び底壁部３４が延びていて、これらが解錠操作部材２２を上下から覆っている。これらをかいくぐる（迂回する）ようにして線材等を侵入させ、解錠操作部材２２に到達させることは難しい。カバー３１にあけられている長孔３６の幅は、一般的な線材の太さよりも狭いので、線材等を長孔３６に通すことはできない。従って、線材等を解錠操作部材２２に接触させて力を加えることは不可能に近い。その結果、解錠操作部材２２及び施錠杆２１はともに動かず、全ての鉤部２６は受け金具２３に係止し続ける。このように、本実施形態によると、専用キー１７を用いた解錠操作を支障なく行うことができ、しかも、非常に簡単な構成でありながら、解錠操作部材２２を線材等で不正に動かしてガラス枠６を解錠する不正解錠を確実に防止することができる。また、カバー３１の付加にともなうパチンコ遊技機１のコスト上昇は最小限ですむ。
【００３６】
なお、機構板７が閉鎖された状態の前枠４の開閉に際しては、同前枠４は軸４ａを支点として回動する。この場合、図２（ｂ）に示すように、カバー３１の側部３１ａは軸４ａを中心とする円弧Ｃに沿って移動する。軸４ａが凹部３９よりも前方に位置していることから、円弧Ｃは凹部３９の後端部よりも前端部の方が外方（図２（ｂ）では下方）へ膨らんでいる。ここで、仮に、凹部３９の深さＤがどの箇所においても一定であるとする。この前提のもとで、凹部３９の内底面３９ｂの前端部を基準位置とし、ここでの同内底面３９ｂとカバー３１との隙間が狭くなるように深さＤを設定すれば、後端部での隙間が広くなり、線材等が通りやすくなってしまう。これとは逆に、内底面３９ｂの後端部を基準位置とし、ここでの同内底面３９ｂとカバー３１との隙間が狭くなるように深さＤを設定すれば、前端部では内底面３９ｂとカバー３１とが接触し、前枠４の開閉が困難又は不能となる。
【００３７】
これに対し本実施形態では、凹部３９の深さＤを前記円弧Ｃに沿うように工夫し、後端部において最も浅く、前側ほど深くしている。このため、カバー３１が凹部３９のどこに位置していても、同カバー３９と内底面３９ｂとの隙間は略均一となる。カバー３１が凹部３９の後端部に収容されたとき、同カバー３１と内底面３９ｂとの隙間は狭く、しかも、前枠４の開閉時にカバー３１が凹部３９の前端部で内底面３９ｂと干渉することがない。従って、不正解錠の防止と、前枠４の開閉動作の確保とを両立させることができる。
【００３８】
ところで、工場等でのパチンコ遊技機１の検査、組付け等に際し行われる作業の１つに、ガラス枠６を閉鎖したり開放したりする作業がある。このとき、いちいち専用キー１７を用いて解錠するのでは作業性が悪い。この場合、従来ならば、解錠操作部材２２を直接指で押し下げている。本実施形態では、カバー３１が解錠操作部材２２を覆っているため、そのままでは従来のような操作はできない。そこで、一旦前枠４を開放し、カバー３１を凹部３９から前方へ離間させ、次いで機構板７を開放する。そして、延長レバー３７を軸３８を支点として下方へ回動させることにより、格納位置から貫通位置に切替え、機構板７及び前枠４を順に閉鎖してゆく。機構板７が閉鎖される過程で、延長レバー３７が長孔３６を貫通し、カバー３１から後方へ突出する。延長レバー３７に指を掛け、ばね２９に抗して下方に力を加えると、延長レバー３７が長孔３６に沿って下方へ移動する。この動きは重なり合った伝達部３７ａ，２２ｃを通じて解錠操作部材２２に伝わり、同部材２２及び施錠杆２１が下方へ移動する。全ての鉤部２６が受け金具２３から離脱し、ガラス枠６が開放可能となる。従って、従来の施錠装置（カバー３１の設けられていないもの）が有する、作業に対する利便性を損なうことがない。
【００３９】
本実施形態は前述した事項以外にも次の特徴を有する。解錠操作部材２２が、外枠３と機構板７との間隙Ｇに位置することに着目し、カバー３１の横幅を、少なくとも間隙Ｇと同程度にし、そのカバー３１の側壁部３５において機構板７に固定している。カバー３１と機構板７との隙間、カバー３１と外枠３との隙間を小さくする（零も含む）ことで、それらの機構板７及び外枠３を、カバー３１の一部（左右両側部）として機能させている。その分、カバー３１の構造を簡略化することが可能である。また、機構板７をカバー３１の固定箇所として利用していることから、同カバー３１の固定のために特別な機構や別部材は不要である。
【００４０】
なお、本発明は次に示す別の実施形態に具体化することができる。
【００４１】
（１）カバー３１を機構板７とは異なる箇所、例えば外枠３、前枠４等に取付けてもよい。図１０は、カバー３１を外枠３に固定した例を示している。種々の固定手段を採用可能であることについては既に説明したが、ここでは、カバー３１にフランジ４０を設け、このフランジ４０を貫通する木ねじ等の締結部材４１によって、カバー３１を外枠３に締付け固定している。この実施形態の場合、カバー３１の横幅を少なくとも外枠３と機構板７との間隙Ｇと同程度にする。このようにすると、カバー３１と外枠３との間には隙間が実質上存在しない。また、カバー３１と機構板７との隙間も小さい。従って、施錠時において、専用キー１７を用いずに解錠操作部材２２を不正に動かそうとして、線材等の先端部を、カバー３１と機構板７との間、又はカバー３１と外枠３との間に通すことは困難である。このように、機構板７及び外枠３を、カバー３１の一部（左右両側部）として機能させているため、その分、カバー３１の構造を簡略化することが可能である。また、機構板７をカバー３１の固定箇所として利用していることから、同カバー３１の固定のために特別な機構や別部材は不要である。
【００４２】
（２）前記実施形態では、機構板７とカバー３１とを別部材とし、これらを接着により固定したが、機構板７の成形時にカバー３１を一体成形してもよい。すなわち、カバー３１が機構板７の一部として設けられてもよい。
【００４３】
（３）カバー３１は必ずしも機構板７や外枠３に固定されていなくてもよく、脱着可能に取付けられてもよい。ただし、線材等を用いた不正解錠操作によって簡単に外れないような取付け構造とする必要がある。また、可動式のカバーとしてもよい。例えば、カバーをヒンジにより開閉可能に取付け、パチンコ遊技機のパチンコホールへの据付時等の際に、カバーを閉鎖して解錠操作部材を覆い、係止具によって開放不能に係止するようにしてもよい。
【００４４】
（４）本発明は、ガラス枠を前枠内に開閉可能に取付け、かつ閉鎖状態のガラス枠を前枠に係止するようにした遊技機であれば、種類にかかわらず広く適用することができる。
【００４５】
【発明の効果】
以上のように、本発明によれば、専用の鍵を用いた解錠操作を支障なく行うことができ、しかも、解錠操作部材を線材等で不正に動かしてガラス枠を解錠する不正解錠を確実に防止することができる。
【図面の簡単な説明】
【図１】本発明を具体化した一実施形態におけるパチンコ遊技機の正面図である。
【図２】（ａ）はパチンコ遊技機の側面図であり、（ｂ）は平面図である。
【図３】（ａ）は前枠施錠機構を示す斜視図であり、（ｂ）は分解斜視図である。
【図４】ガラス枠を後方から見た部分斜視図である。
【図５】ガラス枠施錠機構の一部を示す斜視図である。
【図６】図５の分解斜視図である。
【図７】解錠操作部材及び延長レバーがカバーによって覆われた様子を後方から見た部分斜視図である。
【図８】延長レバーがカバーの長孔を貫通した様子を後方から見た部分斜視図である。
【図９】図８の部分平断面図である。
【図１０】カバーを外枠に取付けた別の実施形態を示す部分斜視図である。
【符号の説明】
１  遊技機としてのパチンコ遊技機
４  前枠
６  ガラス枠
１５  錠としてのシリンダ錠
１７  鍵としての専用キー
２１  施錠杆
２２  解錠操作部材
２３  被係止部としての受け金具
２６  鉤部
３１  カバー
【図１】
0003945400.tif 000002
【図２】
0003945400.tif 000003
【図３】
0003945400.tif 000004
【図４】
0003945400.tif 000005
【図５】
0003945400.tif 000006
【図６】
0003945400.tif 000007
【図７】
0003945400.tif 000008
【図８】
0003945400.tif 000009
【図９】
0003945400.tif 000010
【図１０】
0003945400.tif 000011